(57)【要約】【課題】  地図とファイル名を視覚的に対応づけてファイルを直感的に検索することができる情報表示方法を提供する。【解決手段】  撮像手段によって撮像した画音情報と、前記撮像時の位置情報と、ファイル名とを関連付けて記録し、前記記録されたファイル名を、第１の地図画面上であって、該ファイル名と関連付けられた位置情報の位置にアイコンとして表示し（ステップＳ１）、前記ファイル名と関連付けられた位置情報を検索し、前記第１の地図画面よりも詳細な第２の地図画面の領域に存在するファイルを抽出し（ステップＳ２）、前記抽出されたファイルのファイル名を第２の地図画面上にアイコンとして表示し（ステップＳ３）、前記第２の地図画面上に表示されたアイコンが選択されたときに、当該選択アイコンのファイル名と関連付けて記録された前記画音情報を再生する（ステップＳ６）。【選択図】  図６
2005242752.tif 000002
【特許請求の範囲】
【請求項１】
撮像手段によって撮像した画音情報と、前記撮像時の位置情報と、ファイル名とを関連付けて記録する記録手段と、
前記記録されたファイル名を、地図画面上であって、該ファイル名と関連付けられた位置情報の位置にアイコンとして表示する表示手段と
を備えたことを特徴とする情報表示装置。
【請求項２】
前記表示手段は、前記記録されたファイル名と関連付けられた位置情報の位置が、所定範囲を有する同一地域内に複数存在する場合は、それら複数のファイル名のアイコンを同一箇所に重ねて表示することを特徴とする請求項１に記載の情報表示装置。
【請求項３】
前記表示手段は、前記記録されたファイル名と関連付けられた位置情報の位置が、所定範囲を有する同一地域内に複数存在する場合は、それら複数のファイル名のアイコンを、当該地域の詳細地図画面上に個別に表示することを特徴とする請求項１に記載の情報表示装置。
【請求項４】
前記表示手段は、前記記録されたファイル名と関連付けられた位置情報の位置が、所定範囲を有する同一地域内に複数存在する場合は、それら複数のファイル名のアイコンを同一箇所に重ねて表示し、前記アイコンのいずれかが選択されたときに前記地域の詳細地図画面上に前記複数のアイコンを個別に表示することを特徴とする請求項１に記載の情報表示装置。
【請求項５】
撮像手段によって撮像した画音情報と、前記撮像時の位置情報と、ファイル名とを関連付けて記録する記録工程と、
前記記録されたファイル名を、第１の地図画面上であって、該ファイル名と関連付けられた位置情報の位置にアイコンとして表示する第１の表示工程と、
前記ファイル名と関連付けられた位置情報を検索し、前記第１の地図画面よりも詳細な第２の地図画面の領域に存在するファイルを抽出するファイル抽出工程と、
前記抽出されたファイルのファイル名を第２の地図画面上にアイコンとして表示する第２の表示工程と
を備えたことを特徴とする情報表示方法。
【請求項６】
前記第２の表示工程で表示されたアイコンが選択されたときに、当該選択アイコンのファイル名と関連付けて記録された前記画音情報を再生する情報再生工程を備えたことを特徴とする請求項５に記載の情報表示方法。
【発明の詳細な説明】
【技術分野】
【０００１】
本発明は磁気記録媒体に記録されたデータファイルを検索し表示する情報表示装置および情報表示方法に関する。
【背景技術】
【０００２】
従来、観光地等の風景を、撮像手段、例えば車両に搭載したカメラ又はハンディのカメラにより撮像した場合、その画音情報を磁気テープ又はディスク状の磁気記録媒体に記録し、管理を行っていた。そして前記磁気記録媒体に記録された画音情報を再生、視聴するには、前記磁気テープの管理名からテープカウンタによって検索するか、あるいはディスク状記録媒体であればファイル名で検索を行っていた。
【０００３】
また近年、車両にカーナビゲーション装置を搭載することが普及しつつあり、ＧＰＳ（Ｇｌｏｂａｌ  Ｐｏｓｉｔｉｏｎｉｎｇ  Ｓｙｓｔｅｍ）装置によって現在の位置情報を容易に得ることができるようになってきている。
【０００４】
尚車載カメラにより撮影した映像を位置情報とともに記憶装置に記憶することは例えば下記特許文献１に記載されている。
【特許文献１】特開平１１−９４５７１号公報
【発明の開示】
【発明が解決しようとする課題】
【０００５】
しかしながら前述した再生、視聴時のデータ検索は、検索完了までに多くの時間がかかるとともに煩わしいものであった。例えば前記ファイル名だけではファイルの内容、特徴をイメージすることが難しく、多数のファイル名の文字列の中から検索するのは多くの時間がかかるとともに苦痛感がともなう。
【０００６】
すなわち観光地等の映像を撮る機会が多い場合は、ファイル名で検索する他にその観光地を含む地図から直感的に検索できたほうが便利である。
【０００７】
本発明は上記の点に鑑みてなされたものでその目的は、地図とファイル名を視覚的に対応づけてファイルを直感的に検索することができる情報表示装置および情報表示方法を提供することにある。
【課題を解決するための手段】
【０００８】
本発明の情報表示装置は、撮像手段によって撮像した画音情報と、前記撮像時の位置情報と、ファイル名とを関連付けて記録する記録手段と、前記記録されたファイル名を、地図画面上であって、該ファイル名と関連付けられた位置情報の位置にアイコンとして表示する表示手段とを備えたことを特徴としている。
【０００９】
また前記表示手段は、前記記録されたファイル名と関連付けられた位置情報の位置が、所定範囲を有する同一地域内に複数存在する場合は、それら複数のファイル名のアイコンを同一箇所に重ねて表示することを特徴としている。
【００１０】
また前記表示手段は、前記記録されたファイル名と関連付けられた位置情報の位置が、所定範囲を有する同一地域内に複数存在する場合は、それら複数のファイル名のアイコンを、当該地域の詳細地図画面上に個別に表示することを特徴としている。
【００１１】
また前記表示手段は、前記記録されたファイル名と関連付けられた位置情報の位置が、所定範囲を有する同一地域内に複数存在する場合は、それら複数のファイル名のアイコンを同一箇所に重ねて表示し、前記アイコンのいずれかが選択されたときに前記地域の詳細地図画面上に前記複数のアイコンを個別に表示することを特徴としている。
【００１２】
また本発明の情報表示方法は、撮像手段によって撮像した画音情報と、前記撮像時の位置情報と、ファイル名とを関連付けて記録する記録工程と、前記記録されたファイル名を、第１の地図画面上であって、該ファイル名と関連付けられた位置情報の位置にアイコンとして表示する第１の表示工程と、前記ファイル名と関連付けられた位置情報を検索し、前記第１の地図画面よりも詳細な第２の地図画面の領域に存在するファイルを抽出するファイル抽出工程と、前記抽出されたファイルのファイル名を第２の地図画面上にアイコンとして表示する第２の表示工程とを備えたことを特徴としている。
【００１３】
また前記第２の表示工程で表示されたアイコンが選択されたときに、当該選択アイコンのファイル名と関連付けて記録された前記画音情報を再生する情報再生工程を備えたことを特徴としている。
【００１４】
より具体的には、ＧＰＳの位置情報を、撮像手段で撮像した画音、日付等をリンクして記録管理しておき、視聴時には、ナビゲーション画面、又はパーソナルコンピュータの地図アプリケーション上に、画像ファイルを地図上に表示し、画面上のファイルを選ぶことにより視聴を開始する。
【発明の効果】
【００１５】
（１）撮像した画音情報のファイル名である、例えば日付等のファイル名と地図とを視覚的に対応づけることができ、これによってファイル検索を容易に行うことができる。
（２）地図画面上に日付等のファイル名を表すアイコンが表示されるので、検索しようとするファイルの内容、特徴を直感的にイメージすることができ、多数のファイル名の文字列の中から検索するときのような苦痛感はなく、楽しみながら検索を行うことができる。
【発明を実施するための最良の形態】
【００１６】
以下、図面を参照しながら本発明の実施の形態を説明する。尚、本発明は以下の実施形態例に限定されるものではない。本発明では、走行中に、車内または車外に取り付けたカメラの映像および音声を、地図と連動して記録しておき、図１、図２に示すように、地図上に、日付またはユーザーが設定した名称を用いたアイコンを表示するようにした。
【００１７】
図１は同一地域に複数のファイルがある場合に、複数のアイコンを地図画面上の同一箇所に重ねて表示した例を示している。図２は、図１の地図の一部の地域である神奈川県の詳細地図画面上に前記アイコンを個別に表示した例を示している。尚図３はより詳細な地図の例を示している。
【００１８】
これによってユーザーは、地図上のアイコンをクリック又はダブルクリックすることにより、詳細地図表示又は画像の閲覧ができ、視覚的にファイルの選択を容易に行うことができる。
【００１９】
ここでポータブルのナビゲーションの場合には、家の中で、テレビ等にも表示することが可能になる。また、ナビゲーション上だけでの閲覧だけでなく、パソコン上で閲覧可能な地図に変化することにより、パソコン上でも閲覧が可能となる。
【００２０】
また、ナビゲーション付き携帯電話においても、前記と同様に構成することができる。携帯電話の場合には、静止画画像が主体になるかもしれないが、静止画と同様に地図上に動画ファイルのアイコンの表示を行う。
【００２１】
さらに、ナビゲーションおよび携帯電話において、ナビゲーションのわかりやすさの向上を図るために、地図上に前記同様の方法で、映像ファイルアイコン（静止画）を表示しておき、利用者は、実際の映像で場所を確認しながら、ナビゲーションを利用することが可能となる。
【００２２】
この場合、地図と静止画は、例えば地図提供業者等が用意することになる。また、ネット上で、ナビゲーションの画像情報を募集して、ネットのユーザー会員が静止画を提供し地図を仕上げていくように構成しても良い。
【００２３】
図４は本発明が適用されるナビゲーション装置の構成を表し、１はバスＢを介して装置全体の制御を行うＣＰＵである。２は、全地球測位システムであるＧＰＳ３、車の走行速度を検出する車速センサ４および車の回転方向（進行方向）を検出するジャイロセンサ５の各出力に基づいて自車両の緯度、経度等の位置情報を得る位置制御部である。
【００２４】
６は例えば車両に搭載された撮像手段としてのビデオカメラであり、内蔵のマイクも含んでいる。７はＡＶインターフェース回路である。８は記録手段としてのディスク状記憶媒体を有したディスク装置であり、ディスクコントローラ９により制御される。このディスク装置８には、地図情報、ビデオカメラ６で撮像した画音情報、位置制御部２の位置情報、ユーザーが指定したファイル名等が記録される。
【００２５】
１０は読み出し／書き込み可能なメモリー（ＲＡＭ）である。１１はディスク装置８に記録された前記各種情報を表示するモニター（表示手段）であり、グラフィックコントローラ１２によって表示制御される。
【００２６】
１３は、ナビゲーション装置の、記録モード、表示モードなどの指示を与えるリモコンインターフェース回路、１４はタッチパネルインターフェース回路、１５はボタンインターフェース回路である。
【００２７】
次に、ビデオカメラ６で撮像した画音情報を記録管理する場合（記録工程）の処理手順を図５とともに説明する。まずステップＳ１においてリモコン、タッチパネル、ボタン（１３、１４、１５）によってカメラの記録開始を指示する。
【００２８】
このときユーザーはファイル名を指定するか、日時をファイル名にするかを選択する。またタッチパネル（１４）においては、ナビゲーション映像が表示されているので、メニューから「カメラ映像記録」を選択する。
【００２９】
次にステップＳ２において、位置制御部２によってカメラ映像記録時の位置検出を行う。次にステップＳ３において、ユーザーが指定したファイル名と前記検出された位置情報をディスク装置８に書き込む。
【００３０】
次にステップＳ４においてビデオカメラ６からの画音信号を、ディスク装置８の選択したファイルに書き込みを開始する。
【００３１】
次にステップＳ５において記録停止の指示があった場合は、ステップＳ６においてディスクへのビデオカメラ６の入力記録を停止し、記録した時間をディスク装置８のファイル管理部分に書き込み記録処理全体を終了する。
【００３２】
次にディスク装置８に記録されたファイルを検索し、モニター１１に表示する場合の処理手順を図６とともに説明する。まずＣＰＵ１は、ディスク装置８に記録された地図情報に基づいて、図１に示すような地図画面（第１の地図画面）をモニター１１に表示させるとともに、更にその地図上の、各ファイルの位置情報の位置に、ファイル名を示すアイコンを表示させる（第１の表示工程）。
【００３３】
本実施形態例では、図１に示すように、所定範囲を有する同一地域内に存在する複数のファイルのアイコンを、同一箇所に重ねて表示している。
【００３４】
そしてステップＳ１において、図１の地図画面上にあるファイル名（本実施形態例では日付）のアイコンを「クリック」して選択する。
【００３５】
次にステップＳ２において、ディスク装置８に記録されているファイル名から、記録時に一緒に管理されている位置情報を検出し、前記クリックされた地域の詳細地図画面（図２；第２の地図画面）上の範囲に入るファイルがあるか、管理データの位置情報から検索しファイルを特定する（ファイル抽出工程）。
【００３６】
次にステップＳ３において、特定されたファイルをアイコンとして詳細地図（図２）上に表示する（第２の表示工程）。図２は日付のアイコンとしている例であり、詳細地図画面上には複数のアイコンを個別に表示するものである。
【００３７】
次にステップＳ４において、図２の詳細地図上に表示されているアイコンがクリックされたか否かを判定し、クリックされた場合はさらに詳細な地図を表示し、ステップＳ２、Ｓ３の処理を再び実行する。
【００３８】
そしてステップＳ４の判定結果がＮＯの場合はステップＳ５において、詳細地図上のアイコンがダブルクリックされたか否かを判定しする。そしてダブルクリックされた場合はステップＳ６において、当該ダブルクリックされたアイコン、例えばファイル名「２００２／５／５」のアイコンの映像または映像・音声（２００２年５月５日に南足柄市内で撮像したもの）をモニター１１に表示する（情報再生工程）。
【００３９】
次にステップＳ７において、リモコン、タッチパネル、ボタン（１３、１４、１５）により前記画音の表示を停止させる指示があったか否かを判定し、指示有りの場合は、モニター１１の表示を図１の地図画面に戻す（ステップＳ８）。
【図面の簡単な説明】
【００４０】
【図１】本発明の実施形態例を表し、表示手段によって第１の地図画面上にアイコンが表示されている状態を示す説明図。
【図２】本発明の実施形態例を表し、表示手段によって第２の地図画面上にアイコンが表示されている状態を示す説明図。
【図３】本発明の実施形態例を表し、第２の地図画面の他の例を示す説明図。
【図４】本発明の実施形態例を表し、ナビゲーション装置の一例を示すブロック図。
【図５】本発明の実施形態例を表し、記録工程の処理手順の一例を示すフローチャート。
【図６】本発明の実施形態例を表し、記録されたファイルを検索し、表示する際の処理手順の一例を示すフローチャート。
【符号の説明】
【００４１】
１…ＣＰＵ、２…位置制御部、３…ＧＰＳ装置、４…車速センサ、５…ジャイロセンサ、６…ビデオカメラ、７…ＡＶインターフェース回路、８…ディスク装置、９…ディスクコントローラ、１０…ＲＡＭ、１１…モニター、１２…グラフィックコントローラ、１３…リモコンインターフェース回路、１４…タッチパネルインターフェース回路、１５…ボタンインターフェース回路。
【図３】
2005242752.tif 000003
【図４】
2005242752.tif 000004
【図５】
2005242752.tif 000005
【図６】
2005242752.tif 000006
【図１】
2005242752.tif 000007
【図２】
2005242752.tif 000008